(57)【特許請求の範囲】
【請求項１】
門扉本体とガイド部材とを備え、門扉本体は、複数の格子材をリンクで連結し伸縮自在に構成してあり、ガイド部材は、戸先側端部の格子材側から戸尻側に向けて設けてあり、前後方向の一方側に位置する一方側リンク部材と前後方向の他方側に位置する他方側リンク部材の間で、且つリンクを戸先側端部の格子材に固定している固定ピンと、リンクを戸尻側の格子材に固定している固定ピンの上に跨って配置してあることを特徴とする伸縮門扉。
【発明の詳細な説明】
【技術分野】
【０００１】
本発明は、伸縮門扉に関する。
【背景技術】
【０００２】
特許文献１には、横桟１をＸ字状に交差させて連続させた横桟連Ａを上下に対向して配置し、上下の横桟連Ａ，Ａの各横桟１両端部を縦桟２によって連結した、いわゆる水平パンタ方式の伸縮門扉において、下方の横桟連Ａの各横桟１相互の枢支部Ｂ下方にストップ部９を突設し、開閉側端に位置する縦桟２の下方に、門柱側に向かって水平にのびる２本の平行なガイド片１１，１１を備える回り止め部材Ｃを設け、ガイド片１１，１１間にストップ部９を係止することで、開閉側端の縦桟２の回転を規制したものが記載されている。
この伸縮門扉は、２本の平行なガイド片１１，１１が片持ちの状態で設けてあるため、経年劣化等によりガイド片１１，１１の先端が垂れ下がってくるおそれがある。また、２本のガイド片１１，１１の間隔が先端に向かうにつれて広がり、がたつきが生ずるおそれもある。また、２本のガイド片１１，１１を有する二股状の回り止め部材Ｃは、部品数が多く施工も煩雑である。
【先行技術文献】
【特許文献】
【０００３】
【特許文献１】実開昭６１−９４９３号公報
【発明の概要】
【発明が解決しようとする課題】
【０００４】
本発明は以上に述べた実情に鑑み、ガイド部材の垂れ下がりがなく、部品点数が少なく施工も容易な伸縮門扉の提供を目的とする。
【課題を解決するための手段】
【０００５】
上記の課題を達成するために請求項１記載の発明による伸縮門扉は、門扉本体とガイド部材とを備え、門扉本体は、複数の格子材をリンクで連結し伸縮自在に構成してあり、ガイド部材は、戸先側端部の格子材側から戸尻側に向けて設けてあり、前後方向の一方側に位置する一方側リンク部材と前後方向の他方側に位置する他方側リンク部材の間で、且つリンクを戸先側端部の格子材に固定している固定ピンと、リンクを戸尻側の格子材に固定している固定ピンの上に跨って配置してあることを特徴とする。
【発明の効果】
【０００６】
請求項１記載の発明による伸縮門扉は、ガイド部材が戸先側端部の格子材側から戸尻側に向けて設けてあり、ガイド部材は、前後方向の一方側に位置する一方側リンク部材と前後方向の他方側に位置する他方側リンク部材の間で、且つリンクを戸先側端部の格子材に固定している固定ピンと、リンクを戸尻側の格子材に固定している固定ピンの上に跨って配置してあることで、ガイド部材を受けるための部品を別途取付けることなく、ガイド部材の垂れ下がりを防ぐことができ、また、戸先側端部にガイド部材を１本取付けるだけで済むため、部品点数が少なく施工も容易である。
【図面の簡単な説明】
【０００７】
【図１】ガイド部材の周辺を拡大して示す正面図である。
【図２】ガイド部材の周辺を拡大して示す平面図である。
【図３】図２のＡ−Ａ断面図である。
【図４】本発明の伸縮門扉の一実施形態を示す正面図である。
【図５】同伸縮門扉の平面図である。
【図６】同伸縮門扉の戸先側から見た側面図である。
【図７】同伸縮門扉の正面図であって、門扉本体を縮めた状態を示す。
【図８】ガイド部材の取付け方を示す斜視図である。
【図９】本発明の伸縮門扉の他の実施形態を示す正面図である。
【発明を実施するための形態】
【０００８】
以下、本発明の実施の形態を図面に基づいて説明する。図１〜８は、本発明の伸縮門扉の一実施形態を示している。本伸縮門扉は、図４，５に示すように、左右方向に間隔をおいて地面から立設した吊元支柱８及び戸当り支柱９と、複数の格子材３，３，…をパンタグラフ状のリンク４で連結し、伸縮自在に構成された門扉本体１を備える。門扉本体１の戸尻側端部の格子材３ｄは、吊元支柱８に連結してあり、門扉本体１の戸先側端部の格子材３ａの戸先側には引手格子１０が取付けてあり、引手格子１０には引手１１と錠１２が設けてある。戸先側端部の格子材３ａの下端部と中間の格子材３ｃの下端部には、前後一対のキャスター１３が設けてあり、各キャスター１３が地面に埋設したレール１４に案内されている。
【０００９】
各格子材３，３，…は、図２，６に示すように、前後に間隔をおいて配置された２本の縦格子材１５ａ，１５ｂと、両縦格子材１５ａ，１５ｂを上端部で連結する横格子材１６とでコ字型に形成してあり、前後の縦格子材１５ａ，１５ｂ間のスペースにリンク４を配置してある。両縦格子材１５ａ，１５ｂの対向する面には、ガイド溝１７が長手方向に沿って形成してある。引手格子１０も、格子材３と同様に、前後に配置された２本の縦格子材１５ａ，１５ｂの上端部を横格子材１６で連結して構成してある。
【００１０】
リンク４は、図４に示すように、前側に位置し右上がりに傾斜した一方側リンク部材５と、後側に位置し右下がりに傾斜した他方側リンク部材６とを交差状に多数備え、両リンク部材５，６の各交差部が前後方向のピン７，１８，２７により相対回転自在に軸着してある。一方側リンク部材５と他方側リンク部材６との間には、図５に示すように、前後方向に間隔１９が設けてある。図４に示すように、各格子材３と見込み方向に重なる３本のピン１８，７，１８のうち中間のピン７は、縦格子材１５ａ，１５ｂに固定された固定ピン７となっており、上下のピン１８，１８は縦格子材１５ａ，１５ｂのガイド溝１７に案内されて上下に摺動する摺動ピン１８，１８となっている。一方側リンク部材５と他方側リンク部材６との間の固定ピン７の周りには、図１〜３に示すように、樹脂で形成された円筒状のスリーブ２０が設けてある。
【００１１】
本伸縮門扉は、図１〜３に示すように、戸先側端部の格子材３ａ側から戸尻側に向けて水平に設けた１本のガイド部材２を有している。ガイド部材２は、前側に位置する一方側リンク部材５と後側に位置する他方側リンク部材６の間で、且つリンク４を戸先側端部の格子材３ａに固定している固定ピン７と、リンク４を戸尻側の格子材３ｂに固定している固定ピン７の上に跨って配置してある。ガイド部材２は、図２に示すように、前後方向の幅が一方側リンク部材５と他方側リンク部材６との間の間隔１９とほぼ同じ幅で形成してある。またガイド部材２は、図１に示すように、その下面が固定ピン７の周囲のスリーブ２０の上端に当接ないし近接している。
ガイド部材２は、図３に示すように、アルミ製の略矩形断面の中空押出形材を用いて形成してあり、前後の側面の上部と下部とに滑りのよい樹脂で形成された緩衝材２１が長手方向に沿って設けてあり、緩衝材２１が一方側及び他方側リンク部材５，６と当接ないし近接している。ガイド部材２の先端部には、図１，２に示すように、樹脂製のキャップ２２が取付けてあり、キャップ２２は上下左右の面を傾斜面２３とし、先細形状に形成してある。
ガイド部材２は、門扉本体１を伸ばした状態で少なくとも戸先側端部の格子材３ａの一つ戸尻側の格子材３ｂ（戸先側から２番目の格子材）の固定ピン７より戸尻側までのびていればよく、本実施形態のものは図１に示すように、戸先側端部の格子材３ａの一つ戸尻側の格子材３ｂの固定ピン７より５０ｍｍ程度戸尻側に突出している。門扉本体１を縮めたときには、図７に示すように、ガイド部材２が門扉本体１の戸尻側まで貫通する。
またガイド部材２は、戸先側端部の格子材３ａに取付けてもよいが、本実施形態では引手格子１０にガイド部材２を取付けている。具体的には、図２，３，８に示すように、引手格子２の縦格子材１５ａ，１５ｂに横桟２４を架設し、横桟２４に戸先側から挿入したネジ２５をガイド部材２に形成されたタッピングホール２６に捩じ込むことで、ガイド部材２を取付けている。
【００１２】
以上に述べたように本伸縮門扉は、門扉本体１の戸先側端部に設けた引手格子１０に１本のガイド部材２を戸尻側に向けて水平に取付け、ガイド部材２を前側に位置する一方側リンク部材５と後側に位置する他方側リンク部材６の間に配置したことで、前側または後側の一方の引手１１を持って門扉本体１を伸縮させたときに、ガイド部材２により引手格子１０の水平面内の傾きが防がれるため、門扉本体１の伸縮操作をスムーズに行うことができ、また錠１２の掛かり不良も防止できる。門扉本体１を縮めたときには、ガイド部材２により各格子材３，３，…が前後方向に揃った状態で保持されることから、風圧による門扉本体１の変形や騒音の発生を防止できる。しかもガイド部材２は、リンク４を戸先側端部の格子材３ａに固定している固定ピン７と、リンク４を戸尻側の格子材３ｂに固定している固定ピン７の上に跨って配置してあることで、ガイド部材２を受けるための部品を別途取付けることなく、ガイド部材２の垂れ下がりを防ぐことができる。本伸縮門扉は、戸先側端部にガイド部材２を１本取付けるだけで済むため、部品点数が少なく施工も容易である。ガイド部材２が門扉本体１の前後方向の中心に位置するため、ガイド部材２が目立ちにくいとともに、ガイド部材２の先端に手や衣服などが引っ掛かったりしにくい。
また本伸縮門扉は、門扉本体１の戸先側端部に引手格子１０を設け、引手格子１０にガイド部材２を取付けたことで、門扉本体１にはガイド部材２を取付けるための部品の取付けや孔加工等が不要であり、門扉本体１に引手格子１０を取付けるだけでガイド部材２を配置できるので、施工がより一層容易になる。
ガイド部材２を中空のアルミ形材で形成したので、ガイド部材２を軽量且つ高強度化できる。ガイド部材２の前後の面に樹脂製の緩衝材２１を長手方向に沿って設けてあるため、金属同士が擦れあうことがなく、門扉本体１の伸縮がよりスムーズになる。
本実施形態のものは、図１に示すように、一方側リンク部材５と他方側リンク部材６の交差部の近傍にガイド部材２を通すことで、引手框１０の水平面内の傾き等を規制する効果が高い。
【００１３】
本発明は以上に述べた実施形態に限定されない。格子材やリンクの構成は、適宜変更することができる。ガイド部材２は一方側リンク部材５と他方側リンク部材６との間で、且つリンク４を格子材３ａ，３ｂに固定している固定ピン７上に跨って設けてあればよく、図９に示すように、固定ピン７の位置で一方側リンク部材５と他方側リンク部材６とが交差していなくてもよい。また、ガイド部材の形状や材質、取付け方等も、適宜変更することができる。本発明は、レールやキャスターを有しない伸縮門扉や、門扉本体を複数連結してなる大型で間口の広い伸縮門扉等、あらゆる伸縮門扉に適用することができる。
【符号の説明】
【００１４】
１  門扉本体
２  ガイド部材
３  格子材
４  リンク
５  一方側リンク部材
６  他方側リンク部材
７  固定ピン
【図１】
0006612597.tif 000002
【図２】
0006612597.tif 000003
【図３】
0006612597.tif 000004
【図４】
0006612597.tif 000005
【図５】
0006612597.tif 000006
【図６】
0006612597.tif 000007
【図７】
0006612597.tif 000008
【図８】
0006612597.tif 000009
【図９】
0006612597.tif 000010